(57)【要約】【課題】レンズ保持枠の円筒状かしめ縁部にかかる歪み応力を低減して、レンズ保持枠に保持したレンズにクラックが生じるのを防止できるレンズ保持構造を得る。【解決手段】金属製の筒状部材からなりその少なくとも一端部に円筒状かしめ縁部３２が形成されたレンズ保持枠３１と、このレンズ保持枠３１に光軸方向位置を規制されて挿入され円筒状かしめ縁部３２を内方に機械かしめしてレンズ保持枠３１に保持されるレンズＬ１、Ｌ２と、を備えるレンズ保持構造において、円筒状かしめ縁部３２に、周方向に離間させて少なくとも２つのスリット部３２ａを形成したことを特徴とするレンズ保持構造。【選択図】図８
2013205458.tif 000002
【特許請求の範囲】
【請求項１】
金属製の筒状部材からなりその少なくとも一端部に円筒状かしめ縁部が形成されたレンズ保持枠と、このレンズ保持枠に光軸方向位置を規制されて挿入され前記円筒状かしめ縁部を内方に機械かしめして前記レンズ保持枠に保持されるレンズと、を備えるレンズ保持構造において、
前記円筒状かしめ縁部に、周方向に離間させて少なくとも２つのスリット部を形成したことを特徴とするレンズ保持構造。
【請求項２】
請求項１記載のレンズ保持構造において、
前記スリット部は、前記円筒状かしめ縁部の周方向に等角度間隔で形成されているレンズ保持構造。
【請求項３】
請求項２記載のレンズ保持構造において、
前記スリット部は、前記円筒状かしめ縁部の周方向に６０°間隔で６つ形成されているレンズ保持構造。
【請求項４】
請求項１ないし３のいずれか１項記載のレンズ保持構造において、
前記レンズ保持枠の筒状内部には、前記レンズの光軸方向位置を定める内方フランジ部が形成されているレンズ保持構造。
【請求項５】
請求項１ないし４のいずれか１項記載のレンズ保持構造において、
前記スリット部は、前記円筒状かしめ縁部の軸線方向に延びる矩形形状をなしているレンズ保持構造。
【請求項６】
請求項１ないし４のいずれか１項記載のレンズ保持構造において、
前記スリット部は、前記円筒状かしめ縁部の開放端側に向かって幅を広げる略Ｖ字形状をなしているレンズ保持構造。
【請求項７】
請求項１ないし６のいずれか１項記載のレンズ保持構造において、
前記レンズは、有効レンズ部と、この有効レンズ部の外周に位置する截頭円錐状の被かしめリング部とを有しており、この被かしめリング部に前記円筒状かしめ縁部が機械かしめされているレンズ保持構造。
【請求項８】
請求項１ないし７のいずれか１項記載のレンズ保持構造において、
前記レンズは、観察対象部位から入射した照明光を内視鏡挿入部に内蔵された撮像素子の受光面に結像させる対物レンズからなり、前記レンズ保持枠は、この対物レンズを保持する対物レンズ枠からなるレンズ保持構造。
【請求項９】
請求項１ないし７のいずれか１項記載のレンズ保持構造において、
前記レンズは、内視鏡挿入部に内蔵されたライトガイドファイバを導かれた照明光を観察対象部位に向けて出射する照明レンズからなり、前記レンズ保持枠は、この照明レンズを保持する照明レンズ枠からなるレンズ保持構造。
【発明の詳細な説明】
【技術分野】
【０００１】
本発明は、例えば内視鏡挿入部に内蔵される対物レンズや照明レンズの保持構造に関する。
【背景技術】
【０００２】
例えば内視鏡挿入部には、観察対象部位から入射した照明光を撮像素子の受光面に結像させる対物レンズと、この対物レンズを保持する対物レンズ枠とからなる対物レンズユニットが内蔵されている。
【０００３】
図１２（Ａ）、（Ｂ）は従来の対物レンズユニットにおける対物レンズの保持構造を示している。同図に示すように、対物レンズ１は、円形の有効レンズ部１Ａと、この有効レンズ部１Ａの外周に位置する截頭円錐状（頭を切った円錐状）の被かしめリング部１Ｂとを有しており、対物レンズ枠２は、金属製の筒状部材からなりその一端部に円筒状かしめ縁部２Ａが形成されている。対物レンズ枠２に対物レンズ１を保持するときは、まず図１２（Ａ）に示すように、対物レンズ枠２に光軸方向位置を規制して対物レンズ１を挿入することで、円筒状かしめ縁部２Ａの内方に被かしめリング部１Ｂを位置させる。次いで図１２（Ｂ）に示すように、円筒状かしめ縁部２Ａに径方向からかしめ治具３を接触させた状態で、かしめ治具３と対物レンズ枠２とを対物レンズ枠２の軸２Ｂを中心に相対回動させることで、対物レンズ枠２の円筒状かしめ縁部２Ａを内方に機械かしめして対物レンズ１の被かしめリング部１Ｂに接触させる。
【先行技術文献】
【特許文献】
【０００４】
【特許文献１】特開平８−２４８３２７号公報
【発明の概要】
【発明が解決しようとする課題】
【０００５】
しかしながら、上記従来技術にあっては、図１３、図１４に示すように、かしめ治具３と対物レンズ枠２とを相対回転させるときに、かしめ作業の始点と終点が重なる部分に円筒状かしめ縁部２Ａの全周分の歪みが蓄積して大きな応力が局所集中する。このため、対物レンズ枠２に保持した対物レンズ１に、かしめ作業の始点と終点が重なる部分を起点としたクラックが生じるおそれがある。
【０００６】
本発明は、以上の問題意識に基づいてなされたものであり、レンズ保持枠の円筒状かしめ縁部にかかる歪み応力を低減して、レンズ保持枠に保持したレンズにクラックが生じるのを防止できるレンズ保持構造を得ることを目的とする。
【課題を解決するための手段】
【０００７】
本発明者は、レンズ保持枠の円筒状かしめ縁部に、周方向に離間させて少なくとも２つのスリット部（歪み応力逃げ用スリット部）を形成すれば、このスリット部によって円筒状かしめ縁部が周方向に分断されるので、円筒状かしめ縁部にかかる歪み応力を低減して、レンズ保持枠に保持したレンズにクラックが生じるのを防止できる、との着眼に基づいて本発明を完成させた。
【０００８】
本発明のレンズ保持構造は、金属製の筒状部材からなりその少なくとも一端部に円筒状かしめ縁部が形成されたレンズ保持枠と、このレンズ保持枠に光軸方向位置を規制されて挿入され前記円筒状かしめ縁部を内方に機械かしめして前記レンズ保持枠に保持されるレンズと、を備えるレンズ保持構造において、前記円筒状かしめ縁部に、周方向に離間させて少なくとも２つのスリット部を形成したことを特徴としている。
【０００９】
前記スリット部は、前記円筒状かしめ縁部の周方向に等角度間隔で形成することが好ましい。より具体的に前記スリット部は、前記円筒状かしめ縁部の周方向に６０°間隔で６つ形成することができる。
【００１０】
前記レンズ保持枠の筒状内部には、前記レンズの光軸方向位置を定める内方フランジ部を形成することが好ましい。
【００１１】
前記スリット部は、前記円筒状かしめ縁部の軸線方向に延びる矩形形状をなすことができる。あるいは前記スリット部は、前記円筒状かしめ縁部の開放端側に向かって幅を広げる略Ｖ字形状をなしていてもよい。
【００１２】
前記レンズは、有効レンズ部と、この有効レンズ部の外周に位置する截頭円錐状の被かしめリング部とを有しており、この被かしめリング部に前記円筒状かしめ縁部を機械かしめすることができる。
【００１３】
前記レンズを、観察対象部位から入射した照明光を内視鏡挿入部に内蔵された撮像素子の受光面に結像させる対物レンズとして、前記レンズ保持枠を、この対物レンズを保持する対物レンズ枠とすることができる。あるいは、前記レンズを、内視鏡挿入部に内蔵されたライトガイドファイバを導かれた照明光を観察対象部位に向けて出射する照明レンズとして、前記レンズ保持枠を、この照明レンズを保持する照明レンズ枠とすることもできる。
【発明の効果】
【００１４】
本発明によれば、レンズ保持枠の円筒状かしめ縁部にかかる歪み応力を低減して、レンズ保持枠に保持したレンズにクラックが生じるのを防止できるレンズ保持構造が得られる。
【図面の簡単な説明】
【００１５】
【図１】本発明のレンズ保持構造を適用した電子内視鏡の全体構成を示す図である。
【図２】本実施形態による電子内視鏡の挿入部の先端部の断面図である。
【図３】図２のIII部分の拡大図である。
【図４】本実施形態による電子内視鏡の挿入部の先端部の正面図である。
【図５】対物レンズユニットの構成を示す拡大断面図である。
【図６】対物レンズ枠の前端部に形成された円筒状かしめ縁部の構成を示す斜視図である。
【図７】第１レンズの単体構造を示す斜視図である。
【図８】本実施形態による対物レンズユニットにおける対物レンズの保持構造を示す図であり、図８（Ａ）は対物レンズ枠に対物レンズを挿入した状態を示しており、図８（Ｂ）は対物レンズ枠に対物レンズを挿入した状態で円筒状かしめ縁部を内方に機械かしめしている状態を示している。
【図９】本実施形態による対物レンズユニットにおける対物レンズ枠に対物レンズを保持した状態を示す図である。
【図１０】本実施形態による対物レンズ枠の円筒状かしめ縁部のかしめ作業の始点と終点が重なる部分にかかる歪み応力の大きさを示す図である。
【図１１】円筒状かしめ縁部に形成するスリット部の形状の変形例を示す図６に対応する斜視図である。
【図１２】従来の対物レンズユニットにおける対物レンズの保持構造を示す図であり、図１２（Ａ）は対物レンズ枠に対物レンズを挿入した状態を示しており、図１２（Ｂ）は対物レンズ枠に対物レンズを挿入した状態で円筒状かしめ縁部を内方に機械かしめしている状態を示している。
【図１３】従来の対物レンズユニットにおける対物レンズ枠に対物レンズを保持した状態を示す図である。
【図１４】従来の対物レンズ枠の円筒状かしめ縁部のかしめ作業の始点と終点が重なる部分にかかる歪み応力の大きさを示す図である。
【発明を実施するための形態】
【００１６】
以下、図１ないし図１１を参照して、本発明のレンズ保持構造を適用した電子内視鏡１０について説明する。
【００１７】
図１に示すように、電子内視鏡１０は、操作者が把持する把持操作部１１と、この把持操作部１１から延出する可撓性のある挿入部１２とを有している。本明細書における前後方向は、挿入部１２の先端側を「前方」、挿入部１２の基端側を「後方」とする。挿入部１２の先端部は先端硬質部１３により構成してあり、その直後は管状の湾曲部１４となっている。先端硬質部１３は実質的に弾性変形不能な硬質樹脂材料（例えば、ＡＢＳ、変性ＰＰＯ、ＰＳＵなど）によって構成されている。湾曲部１４は、把持操作部１１に設けた湾曲操作レバー１５の回転操作に応じて湾曲するものである。把持操作部１１からはユニバーサルチューブ１６が延出されており、このユニバーサルチューブ１６の先端にはコネクタ部１７が設けられている。
【００１８】
図４に示すように、挿入部１２の先端硬質部１３の前端面には、一対の照明レンズ１９を照明レンズ枠１９ａに保持してなる照明レンズユニットが設けられている。図示していないが、電子内視鏡１０には一対のライトガイドファイバが内蔵されていて、この一対のライトガイドファイバは、挿入部１２の先端硬質部１３から湾曲部１４、把持操作部１１、ユニバーサルチューブ１６、コネクタ部１７から突出するライトガイドスリーブ１８内まで延びている。コネクタ部１７のコネクタ端子１７ａがビデオプロセッサのコネクタ端子（図示せず）に接続されると、この一対のライトガイドファイバは、ビデオプロセッサに内蔵された内視鏡光源（図示せず）と光学的に接続される。そして、この内視鏡光源から発せられた照明光は、一対のライトガイドファイバ内を導かれ、挿入部１２の先端硬質部１３の前端面に設けられた一対の照明レンズ１９によって所定の配光で外方に出射される。
【００１９】
図２、図４に示すように、挿入部１２の先端硬質部１３の前端面には、送気ノズル２０と送水ノズル２１が並べて設けられている。また把持操作部１１には図示しない送気送水ボタンが設けられており、この送気送水ボタンを操作することで、送水ノズル２１から対物レンズユニット３０の第１レンズＬ１に水を噴射して体液や出血などで汚れたレンズ表面を洗い流し、送気ノズル２０から対物レンズユニット３０の第１レンズＬ１に空気を吹き付けてレンズ表面に付着した水を吹き飛ばすことができる。第１レンズＬ１を含む対物レンズユニット３０の構成については後に詳細に説明する。
【００２０】
図４に示すように、挿入部１２の先端硬質部１３の前端面には、副送水口２２が設けられている。この副送水口２２に電子内視鏡１０の外部に設けた副送水装置（図示せず）を介して水を供給することにより、体腔内に付着した汚物や内視鏡手技による出血を洗い流すことができる。
【００２１】
図２、図４に示すように、挿入部１２の先端硬質部１３の前端面には、吸引口２３が設けられている。また把持操作部１１には図示しない吸引ボタンが設けられており、この吸引ボタンを操作することで、吸引口２３から体液等を吸引することができる。
【００２２】
図２に示すように、挿入部１２の湾曲部１４内には、先端側から順に整列状態で配列された複数の筒状の湾曲駒２４が設けられている。隣接する湾曲駒２４どうしは、直径方向の対向する対をなす湾曲軸においてリベット２５で順次枢着されていて、この湾曲軸を中心に回動自在となっている。最前方に位置する湾曲駒２４には、ワイヤ止め２６によって一対の牽引ワイヤ２７の前端部が結合されており、この一対の牽引ワイヤ２７の後端部は、把持操作部１１に設けた湾曲操作レバー１５に接続されている。湾曲駒２４の湾曲軸と一対の牽引ワイヤ２７とは互いに直交する平面内に位置している。把持操作部１１に設けた湾曲操作レバー１５を操作して、一対の牽引ワイヤ２７のいずれか一方を把持操作部１１側に引っ張ることにより、湾曲部１４をアップダウン方向に曲げることができる。
【００２３】
図２に示すように、挿入部１２の先端硬質部１３の前端面には、先端硬質部１３をその軸線方向に貫通する貫通孔が形成されており、この貫通孔の先端側から順に、対物レンズユニット３０と、撮像素子ユニット４０とが挿入されている。
【００２４】
対物レンズユニット３０は、金属製の筒状部材からなる対物レンズ枠（レンズ保持枠）３１に、前端部から順に、第１レンズＬ１と、第２レンズＬ２と、第３レンズＬ３と、スペーサ部材Ｓと、第４レンズＬ４とを保持してなる。
【００２５】
撮像素子ユニット４０は、撮像素子４１と、この撮像素子４１の後方に位置する駆動回路基板４２と、撮像素子４１と駆動回路基板４２を電気的に接続するリード線４３と、駆動回路基板４２の背面に接続され撮像素子４１からリード線４３を介して駆動回路基板４２に送られた撮像信号を伝送する信号伝送ケーブル４４とを有している。信号伝送ケーブル４４は被覆チューブ４４ａ内に導かれてコネクタ部１７の内部まで延びている。撮像素子４１の前面には、カバーガラスＣＧと光学フィルタＯＰが設けられている。駆動回路基板４２の前面（撮像素子４１側の面）には、ＩＣやコンデンサ、抵抗等の電子回路部品ＩＣが実装されている。撮像素子４１、駆動回路基板４２、リード線４３及び信号伝送ケーブル４４は、例えばエポキシ樹脂からなる接着剤でモールドすることで撮像素子ユニット４０として一体化されている。
【００２６】
本実施形態の電子内視鏡１０は、対物レンズユニット３０における対物レンズ枠３１に第１レンズＬ１ないし第４レンズＬ４を保持する構造に本発明を適用したものである。以下、その詳細を図５ないし図１０を参照して説明する。
【００２７】
図５に示すように、金属製の筒状部材からなる対物レンズ枠３１は、その前端部と後端部にそれぞれ円筒状かしめ縁部３２と円筒状かしめ縁部３３が形成されており、その筒状内部に内方フランジ部３４が形成されている。前端部の円筒状かしめ縁部３２の径は例えば１〜４ｍｍである。第１レンズＬ１、第２レンズＬ２、スペーサ部材Ｓ及び第４レンズＬ４の外径は、対物レンズ枠３１の内方フランジ部３４を除いた部分の内径と最小のクリアランスとなるように設定されており、第３レンズＬ３の外径は、対物レンズ枠３１の内方フランジ部３４の内径と最小のクリアランスとなるように設定されている。従って、対物レンズ枠３１に第１レンズＬ１ないし第４レンズＬ４及びスペーサ部材Ｓを挿入したとき、これらの部材の光軸直交方向の位置が規制される。
【００２８】
図６に示すように、対物レンズ枠３１の前端部の円筒状かしめ縁部３２には、周方向に６０°間隔で形成された６つのスリット部（歪み応力逃げ用スリット部）３２ａ、及びこのスリット部３２ａによって周方向に分断された６つのかしめ舌片３２ｂが形成されている。各スリット部３２ａは、円筒状かしめ縁部３２の軸線方向に延びる矩形形状をなしている。また各スリット部３２ａの周方向幅は、後述するかしめ治具Ｊの周方向長さよりも短くなるように設定されている。
【００２９】
図７に示すように、対物レンズＬ１は、円形の有効レンズ部Ｌ１ａと、この有効レンズ部Ｌ１ａの外周に位置する截頭円錐状（頭を切った円錐状）の被かしめリング部Ｌ１ｂとを有している。
【００３０】
以上のように構成された対物レンズ枠３１に第１レンズＬ１ないし第４レンズＬ４を保持するときには、まず図８（Ａ）に示すように、対物レンズ枠３１の前端部の円筒状かしめ縁部３２を上方に向けて、この円筒状かしめ縁部３２側から、第２レンズＬ２及び第１レンズＬ１を順番に挿入する。すると、第２レンズＬ２がレンズ保持枠３１の内方フランジ部３４に当接し、第１レンズＬ１が第２レンズＬ２に当接して、第１レンズＬ１及び第２レンズＬ２の光軸方向位置が規制される。この状態では、対物レンズ枠３１の円筒状かしめ縁部３２の内方に第１レンズＬ１の被かしめリング部Ｌ１ｂが位置している。
【００３１】
次いで図８（Ｂ）に示すように、円筒状かしめ縁部３２に径方向からかしめ治具Ｊを接触させた状態で、かしめ治具Ｊと対物レンズ枠３１とを対物レンズ枠３１の軸３１ａを中心に相対回動させることで、円筒状かしめ縁部３２の６つのかしめ舌片３２ｂを順に内方に機械かしめして第１レンズＬ１の被かしめリング部Ｌ１ｂに接触させる。これにより、第１レンズＬ１及び第２レンズＬ２が、対物レンズ枠３１に光軸方向位置と光軸直交方向位置が規制された状態で固定される。ここで各スリット部３２ａの周方向幅はかしめ治具Ｊの周方向長さよりも短く設定されているので、かしめ作業中にかしめ治具Ｊが第１レンズＬ１に接触することはない。
【００３２】
いま、図９、図１０を参照しつつ、上記機械かしめを行っている間に対物レンズ枠３１の円筒状かしめ縁部３２にかかる歪み応力に注目する。円筒状かしめ縁部３２は、周方向に６０°間隔で形成された６つのスリット部３２ａによって周方向の６つのかしめ舌片３２ｂに分断されているため、各かしめ舌片３２ｂに蓄積する歪み応力は、隣接するスリット部３２ａで効率的に逃がされて極めて小さいものとなり、円筒状かしめ縁部３２にかかる歪み応力は、各かしめ舌片３２ｂにかかる極めて小さい歪み応力の単なる足し合わせとなる。従って、円筒状かしめ縁部３２にスリット部３２ａが形成されていない従来品と比べて、円筒状かしめ縁部３２のとりわけかしめ作業の始点と終点が重なる部分にかかる歪み応力が飛躍的に低減され、対物レンズ枠３１に保持した第１レンズＬ１にクラックが生じるのを確実に防止することができる。図１０と図１４を比較すると、本実施形態の円筒状かしめ縁部３２のかしめ作業の始点と終点が重なる部分にかかる歪み応力が、従来技術の円筒状かしめ縁部２Ａのかしめ作業の始点と終点が重なる部分にかかる歪み応力よりも低減されていることが判る。
【００３３】
第１レンズＬ１及び第２レンズＬ２を対物レンズ枠３１に固定した後、対物レンズ枠３１を上下反転させることで円筒状かしめ縁部３３を上方に向けて、円筒状かしめ縁部３３側から、第３レンズＬ３、スペーサ部材Ｓ及び第４レンズＬ４を順番に挿入する。すると、第３レンズＬ３が第２レンズＬ２に当接し、スペーサ部材Ｓが第３レンズＬ３に当接し、第４レンズＬ４がスペーサ部材Ｓに当接して、第３レンズＬ３、スペーサ部材Ｓ及び第４レンズＬ４の光軸方向位置が規制される。そして最後に、円筒状かしめ縁部３３に径方向からかしめ治具を接触させた状態で、かしめ治具と対物レンズ枠３１とを対物レンズ枠３１の軸を中心に相対回動させることで、対物レンズ枠３１の円筒状かしめ縁部３３を内方に機械かしめする。これにより、第３レンズＬ３、スペーサ部材Ｓ及び第４レンズＬ４が、対物レンズ枠３１に光軸方向位置と光軸直交方向位置が規制された状態で固定される。以上のようにして、対物レンズ枠３１に第１レンズＬ１ないし第４レンズＬ４を保持してなる対物レンズユニット３０が完成する。
【００３４】
なお、本実施形態では図示していないが、対物レンズ枠３１の後端部の円筒状かしめ縁部３３にも、前端部の円筒状かしめ縁部３２と同様のスリット部を設けることも可能である。これにより、かしめ作業時に円筒状かしめ縁部３３にかかる歪み応力を低減して、対物レンズ枠３１に保持した第４レンズＬ４にクラックが生じるのを防止できる。
【００３５】
以上の実施形態では、円筒状かしめ縁部３２に周方向に６０°間隔で６つのスリット部３２ａを形成した場合を例示して説明した。しかしスリット部３２ａの数は６つに限定されるものではなく、周方向に離間して少なくとも２つ形成されていればよい。またスリット部３２ａは必ずしも周方向に等角度間隔で配置する必要はない。
【００３６】
以上の実施形態では、スリット部３２ａが円筒状かしめ縁部３２の軸線方向に延びる矩形形状をなしている場合を例示して説明したが、スリット部３２ａの形状はこれに限定されるものではない。例えば図１１に示すように、スリット部３２ａの形状を円筒状かしめ縁部３２の開放端側に向かって幅を広げる略Ｖ字形状とすることも可能である。要は、円筒状かしめ縁部を周方向に分断できる形状である限りにおいて、スリット部３２ａの形状は問わない。
【００３７】
以上の実施形態では、本発明のレンズ保持構造を内視鏡挿入部に内蔵された対物レンズユニット３０に適用した場合を例示して説明したが、本発明の適用対象はこれに限定されるものではない。例えば本発明のレンズ保持構造は、内視鏡挿入部に内蔵されたライトガイドファイバを導かれた照明光を観察対象部位に向けて出射する照明レンズ１９と、この照明レンズ１９を保持する照明レンズ枠１９ａとからなる照明レンズユニットに適用することも可能である。さらに本発明のレンズ保持構造は、内視鏡以外のあらゆる産業分野のレンズユニットに適用することが可能である。
【符号の説明】
【００３８】
１０  電子内視鏡
１１  把持操作部
１２  挿入部
１３  先端硬質部
１４  湾曲部
１５  湾曲操作レバー
１６  ユニバーサルチューブ
１７  コネクタ部
１７ａ  コネクタ端子
１８  ライトガイドスリーブ
１９  照明レンズ
１９ａ  照明レンズ枠
２０  送気ノズル
２１  送水ノズル
２２  副送水口
２３  吸引口
２４  湾曲駒
２５  リベット
２６  ワイヤ止め
２７  牽引ワイヤ
３０  対物レンズユニット
３１  対物レンズ枠（レンズ保持枠）
３１ａ  軸
３２  円筒状かしめ縁部
３２ａ  スリット部（歪み応力逃げ用スリット部）
３２ｂ  かしめ舌片
３３  円筒状かしめ縁部
３４  内方フランジ部
Ｌ１  第１レンズ
Ｌ１ａ  有効レンズ部
Ｌ１ｂ  被かしめリング部
Ｌ２  第２レンズ
Ｌ３  第３レンズ
Ｌ４  第４レンズ
Ｓ  スペーサ部材
４０  撮像素子ユニット
４１  撮像素子
４２  駆動回路基板
４３  リード線
４４  信号伝送ケーブル
４４ａ  被覆チューブ
ＣＧ  カバーガラス
ＯＰ  光学フィルタ
ＩＣ  電子回路部品
Ｊ  かしめ治具
【図１】
2013205458.tif 000003
【図２】
2013205458.tif 000004
【図３】
2013205458.tif 000005
【図４】
2013205458.tif 000006
【図５】
2013205458.tif 000007
【図６】
2013205458.tif 000008
【図７】
2013205458.tif 000009
【図８】
2013205458.tif 000010
【図９】
2013205458.tif 000011
【図１０】
2013205458.tif 000012
【図１１】
2013205458.tif 000013
【図１２】
2013205458.tif 000014
【図１３】
2013205458.tif 000015
【図１４】
2013205458.tif 000016